(57)【要約】【課題】電子機器の内部回路及び外部のリーダ／ライタ装置の両方から上記データキャリアに対して通信可能なデータキャリアシステムを安価に構築できるようにする。【解決手段】磁界結合を介して接続されるリーダ／ライタ装置３と通信可能に構成されているとともに、電源端子及びＩ／Ｏ端子を介して接続される電子機器の内部コントローラ２１と通信可能に構成されているデータキャリア１に、上記リーダ／ライタ装置３または上記電子機器の内部コントローラ２１から動作電力が供給されると、上記動作電力の供給元が何れであるかを判断して、上記動作電力を供給した相手側と通信を行うようにする機能を持たせることにより、上記電子機器２側には高価なリーダ／ライタ装置を配設することなく、上記電子機器２と上記データキャリア１との間で通信可能とする。【選択図】        図１
2005031948.tif 000002
【特許請求の範囲】
【請求項１】
磁界結合を介して接続されるリーダ／ライタ装置と通信可能に構成されているとともに、電源端子及びＩ／Ｏ端子を介して接続される電子機器と通信可能に構成されているデータキャリアであって、
上記リーダ／ライタ装置または上記電子機器から動作電力が供給されると、上記動作電力の供給元が何れであるかを判断して、上記動作電力を供給した相手側と通信を行うようにしたことを特徴とするデータキャリア。
【請求項２】
磁界結合を介して接続されるリーダ／ライタ装置と通信可能に構成されているとともに、電源端子及びＩ／Ｏ端子を介して接続される電子機器と通信可能に構成されているデータキャリアであって、
上記リーダ／ライタ装置または上記電子機器から動作電力が供給されると上記Ｉ／Ｏ端子の電位を検出するＩ／Ｏ端子電位検出手段と、
上記Ｉ／Ｏ端子電位検出手段の電位検出結果に基づいて、上記リーダ／ライタ装置または上記電子機器との通信を開始するように制御する通信制御手段とを有することを特徴とするデータキャリア。
【請求項３】
磁界結合を介して接続されるリーダ／ライタ装置と通信可能に構成されているとともに、電源端子及びＩ／Ｏ端子を介して接続される電子機器と通信可能に構成されているデータキャリアであって、
上記リーダ／ライタ装置または上記電子機器から動作電力が供給されるとリセットを解除して、上記リーダ／ライタ装置から送られてくる同期パターンを待つ通信待機状態に設定する通信待機状態設定手段と、
上記通信待機状態設定手段により通信待機状態に設定されてからの経過時間を監視する待機時間監視手段と、
上記待機時間監視手段による監視時間が、あらかじめ設定された時間を経過したら、上記電子機器と通信通信動作を開始するように制御する通信制御手段とを有することを特徴とするデータキャリア。
【請求項４】
上記動作電力を供給した相手が上記電子機器であると判断した場合には、上記Ｉ／Ｏ端子を用いて上記電子機器とデータのやり取りを行うことを特徴とする請求項３に記載のデータキャリア。
【請求項５】
上記請求項１〜４の何れか１項に記載のデータキャリアを備えたことを特徴とするデータキャリアを備えた電子機器。
【発明の詳細な説明】
【０００１】
【発明の属する技術分野】
本発明はデータキャリア、及びデータキャリアを備えた電子機器に関し、特に、電子機器に係わる情報をデータキャリアに格納しておき、上記格納した情報を外部から非接触で読み出すようにするデータキャリアシステムに用いて好適なものである。
【０００２】
【従来の技術】
プラスチック製のカードにＩＣチップを配設してなるデータキャリア（子機）と、上記データキャリアに無線で交番磁界を供給するリーダ／ライタ装置（親機）とからなるデータキャリアシステムが普及している。
【０００３】
このようなデータキャリアシステムは、非接触型ＩＤカードとして鉄道の定期券や、物流分野における個々の貨物を識別するためのタグや、各種メーカーにおける製品の在庫管理や、事務所あるいは病院等におけるファイル管理を行うシステム等に利用されている。
【０００４】
上述のように種々の分野で利用が広がっているデータキャリアシステムであるが、非接触型のデータキャリアにおいては、自己の使用する電力を、リーダ／ライタ装置から供給される交番磁界から得ている。
【０００５】
すなわち、非接触型のデータキャリアは送受信用アンテナを有しており、リーダ／ライタ装置と呼ばれる親機から送信される交番磁界を上記送受信用アンテナで受信し、上記交番磁界の大きさに応じて流れる電流を整流して動作電力としている。
【０００６】
上述のようなデータキャリアシステムの応用例として、自動販売機、ゲーム機、電気メータ、ガスメータ、水道メータ、家電、ＯＡ機器、生産設備等にデータキャリアを配設しておき、これらの電子機器の稼動履歴・売上記録・使用量等の情報を上記データキャリアに記録しておくことが行なわれている。
【０００７】
一例として、特許文献１に示すように、電子機器で使用する消耗品を収納したカートリッジにデータキャリアを取り付けておき、上記電子機器の本体側に設けられた上記リーダ／ライタ装置と上記データキャリアとの間で所定の通信を行い、上記消耗品を収納したカートリッジ内に収納されている消耗品の可否を確認するようにした発明が提案されている。
【０００８】
【特許文献１】
特開２００１−１３４１５１号公報
【０００９】
【発明が解決しようとする課題】
上述のように、電子機器本体とは独立的に構成されているデータキャリアに情報を書き込んでおくようにすることにより、上記カートリッジに収納されて供給される消耗品を効率良く管理することができるようになる。
【００１０】
しかしながら、上記特許文献１に記載された発明の場合には、上記電子機器と上記データキャリアと通信を行うために、上記電子機器側にリーダ／ライタ装置を配設していた。このため、種々の情報をデータキャリアに記録しておき、それを外部からリーダ／ライタ装置によって読み出すようにするデータキャリアシステムを構築するコストが高くなってしまう問題があった。
【００１１】
本発明は上述の問題点にかんがみ、電子機器にデータキャリアを配設しておき、上記電子機器の内部回路、及び外部のリーダ／ライタ装置の両方から上記データキャリアに対して通信可能なデータキャリアシステムを安価に構築できるようにすることを目的とする。
【００１２】
【課題を解決するための手段】
本発明のデータキャリアは、磁界結合を介して接続されるリーダ／ライタ装置と通信可能に構成されているとともに、電源端子及びＩ／Ｏ端子を介して接続される電子機器と通信可能に構成されているデータキャリアであって、上記リーダ／ライタ装置または上記電子機器から動作電力が供給されると、上記動作電力の供給元が何れであるかを判断して、上記動作電力を供給した相手側と通信を行うようにしたことを特徴としている。
また、本発明の他の特徴とするところは、磁界結合を介して接続されるリーダ／ライタ装置と通信可能に構成されているとともに、電源端子及びＩ／Ｏ端子を介して接続される電子機器と通信可能に構成されているデータキャリアであって、上記リーダ／ライタ装置または上記電子機器から動作電力が供給されると上記Ｉ／Ｏ端子の電位を検出するＩ／Ｏ端子電位検出手段と、上記Ｉ／Ｏ端子電位検出手段の電位検出結果に基づいて、上記リーダ／ライタ装置または上記電子機器との通信を開始するように制御する通信制御手段とを有することを特徴としている。
また、本発明のその他の特徴とするところは、磁界結合を介して接続されるリーダ／ライタ装置と通信可能に構成されているとともに、電源端子及びＩ／Ｏ端子を介して接続される電子機器と通信可能に構成されているデータキャリアであって、上記リーダ／ライタ装置または上記電子機器から動作電力が供給されるとリセットを解除して、上記リーダ／ライタ装置から送られてくる同期パターンを待つ通信待機状態に設定する通信待機状態設定手段と、上記通信待機状態設定手段により通信待機状態に設定されてからの経過時間を監視する待機時間監視手段と、上記待機時間監視手段による監視時間が、あらかじめ設定された時間を経過したら、上記電子機器と通信通信動作を開始するように制御する通信制御手段とを有することを特徴としている。
また、本発明のその他の特徴とするところは、上記動作電力を供給した相手が上記電子機器であると判断した場合には、上記Ｉ／Ｏ端子を用いて上記電子機器とデータのやり取りを行うことを特徴としている。
【００１３】
また、本発明のデータキャリアを備えた電子機器は、上記の何れかに記載のデータキャリアを備えたことを特徴としている。
【００１４】
【発明の実施の形態】
次に、図１を参照しながら本発明によるデータキャリア、及びデータキャリアを備えた電子機器の第１の実施の形態を説明する。
図１に示したように、本実施の形態のデータキャリア１は電子機器２内に配設され、上記電子機器の内部コントローラ２１と通信可能に構成されているとともに、外部のリーダ／ライタ装置３と通信可能に構成されている。
【００１５】
上記データキャリア１と上記リーダ／ライタ装置３との間の通信は、上記リーダ／ライタ装置３と上記データキャリア１のアンテナコイルＬとが電磁結合されていて、データキャリア１においては、リーダ／ライタ装置３の送信コイル（図示せず）から送信された変調高周波信号がアンテナコイルＬ及び共振用コンデンサＣを介して送受信回路に供給される。
【００１６】
図２にデータキャリア１の概略構成を示す。図２に示したように、上記変調高周波信号は、整流回路１１で整流された後で、電源回路１２に供給されてデータキャリア１の各部に必要な所定の電源電圧が生成される。また、アンテナコイルＬ及びコンデンサＣよりなる共振回路で誘起された信号は受信回路１３にも供給され、上記受信回路１３によりデータが復調されて演算処理回路１４に供給される。演算処理回路１４は、タイミング回路１５及びリセット回路１６の出力に基づいて動作し、供給されるデータを処理して所定のデータを図示しないメモリに書き込む処理を行う。
【００１７】
また、図示しないメモリから読み出されたデータが演算処理回路１４で処理されて送信回路１７に供給される。送信回路１７は、例えば負荷抵抗とスイッチとにより構成されており、データの”１”、”０”ビットに応じてこのスイッチがオン、オフ動作することにより、アンテナ回路に対する負荷が変動する。
【００１８】
このため、リーダ／ライタ装置３においては、上記データキャリア１のアンテナ回路と電磁結合している受信コイルに流れる高周波電流の振幅が変動する。すなわち、この高周波電流は、データキャリア１の演算処理回路１４から送信回路１７に供給されるデータによって振幅変調される。この変調高周波信号が復調されて上記リーダ／ライタ装置３においてデータが得られる。
【００１９】
上記の構成は、データキャリアの一般的な構成であるが、本実施の形態のデータキャリア１の場合には電源端子ＰＯＷ、第１の入出力端子Ｉ／Ｏ１、第２の入出力端子Ｉ／Ｏ２、接地端子ＧＮＤ等が設けられている。これらの端子が設けられていることにより、本実施の形態のデータキャリア１は電子機器の内部コントローラ２１とデータの送受信を行うことが可能となっている。
【００２０】
次に、図３のフローチャートを参照しながら本実施の形態のデータキャリアの動作を説明する。
（第１の動作例）
図３に示したように、動作電力が供給されるとデータキャリア１は動作を開始し、ステップＳ３１においてリセットを解除してコマンドの待ち状態になる。更に厳密に言えば、受信コイルに誘導された交流信号電圧に変調されてコマンドやデータの前に送られてくる同期パターンを待っている状態になる。
【００２１】
そして、ステップＳ３２において同期パターンの検出を行い、同期パターンを検出したら上記動作電力の供給がリーダ／ライタ装置３から行われたと判断してステップＳ３３に進み、磁界結合を利用してリーダ／ライタ装置（Ｒ／Ｗ）３と所定の通信を行う。
【００２２】
一方、ステップＳ３２において同期パターンを検出しなかった場合にはステップＳ３４に進み、同期パターンの待ち状態の継続期間をカウントする。上記同期パターンの待ち状態が所定の時間以内であればステップＳ３２に戻って同期パターンの検出を引き続き行う。
【００２３】
また、ステップＳ３４の判定の結果、上記同期パターンの待ち状態が、あらかじめ設定された所定の時間以上となった場合には、上記動作電力の供給が電子機器２からであると判断してステップＳ３５に進み、電子機器２との通信動作を開始する。上記電子機器２との通信は第１の入出力端子Ｉ／Ｏ１及び第２の入出力端子Ｉ／Ｏ２を介して行う。上記ステップＳ３１の処理により通信待機状態設定手段が構成され、上記ステップＳ３４の処理により待機時間監視手段が構成される。また、上記ステップＳ３２の処理により通信制御手段が構成される。
【００２４】
この第１の動作例の場合は、データキャリア１による起動か電子機器２による起動かを判断するシーケンスが簡単であり、特定用途向けのタグに用いる場合に適している。
【００２５】
（第２の動作例）
次に、図４のフローチャートを参照しながら第２の動作例を説明する。
電力が供給されて動作が開始されると、最初のステップＳ４１においてリセットを解除して第１の入出力端子Ｉ／Ｏ１及び第２の入出力端子Ｉ／Ｏ２の電位を判定する。この処理により、Ｉ／Ｏ端子電位検出手段が構成される。
【００２６】
次に、ステップＳ４２に進み、上記電位の判定の結果に基づいて電子機器２からの駆動であるか否かを判定する。この判定の結果、電子機器２側からの駆動であれば、上記第１の入出力端子Ｉ／Ｏ１及び第２の入出力端子Ｉ／Ｏ２の電位は外部より規定のレベルに設定されているので、その設定に応じた動作を開始する。具体的には、設定に応じた行から始まるプログラムを実行する。この処理により、この動作例における通信制御手段が構成される。
【００２７】
一方、上記ステップＳ４２の判定の結果、上記第１の入出力端子Ｉ／Ｏ１及び第２の入出力端子Ｉ／Ｏ２の電位が「Ｌ」、「Ｌ」のときはリーダ／ライタ装置３からの駆動と判断してステップＳ４４に進んで同期パターンが送られてくるのを待つ。
【００２８】
そして、ステップＳ４５において同期パターンを検出したらステップＳ４６に進んで磁界結合を利用してリーダ／ライタ装置３と所定の通信を開始する。
【００２９】
（第３の動作例）
次に、図５のフローチャートを参照しながら第３の動作例を説明する。
電力が供給されて動作を開始すると、先ず、最初のステップＳ５１においてリセットを解除してコマンドの待ち状態になる。更に厳密に言えば、コマンドやデータの前に送られてくる同期パターンを待っている状態に設定する。
【００３０】
次に、ステップＳ５２に進んで同期パターンの検出を行う。そして、同期パターンを検出したらステップＳ５３に進み、磁界結合を利用してデータキャリア１と所定の通信を開始する。
【００３１】
一方、ステップＳ５２の判定の結果、同期パターンを検出しなかった場合にはステップＳ５４に進み、あらかじめ設定した所定の時間が経過した否かを判定する。この判定の結果、所定の時間が経過したら、上記動作電力の供給がデータキャリア１ではなく、電子機器２からであると判断してステップＳ５５に進む。
【００３２】
ステップＳ５５においては、第１の入出力端子Ｉ／Ｏ１及び第２の入出力端子Ｉ／Ｏ２の電位を検出する。次に、ステップＳ５６に進み、上記入出力端子の電位検出の結果に基いて電子機器２側からの駆動であるか否かを判定する。この判定の結果、電子機器２からの駆動であれば、外部より規定のレベルに設定されているので、その設定に応じた動作を開始する。具体的には設定に応じた行から始まるプログラムを実行する。
【００３３】
設定の種類としては、レベル数（通常は「Ｈ」、「Ｌ」の２値）と、Ｉ／Ｏボートの教との組み合わせの数（積）だけ用意することができる。但し、データキャリア１からの駆動の場合の条件は必ず必要なので、本実施の形態のようにＩ／Ｏポートが２個である時には、「Ｌ」、「Ｌ」のときをデータキャリア１からの駆動とする。
【００３４】
この場合、上記入出力端子の電位が「Ｌ」、「Ｌ」のときはデータキャリア１からの駆動と判断して再び同期パターン待ちとしても良いし、特定のプログラム動作に割り振るようにしてもよく、設定は自由である。一旦、内部機器からの駆動と判断してプログラム動作を開始すると、Ｉ／Ｏポートはデータのやり取りに使われる。
【００３５】
上述したように、本実施の形態のデータキャリア１は、第１の入出力端子Ｉ／Ｏ１及び第２の入出力端子Ｉ／Ｏ２を介して電子機器２側からデータやコマンドを受け取ったり、データを機器側に送信したりすることができる。一般に、データキャリアは、リーダ／ライタ装置３から供給される磁界を受けてリード／ライトする動作モードを本来的に有している。
【００３６】
したがって、データキャリア１を取り込む機器にリーダ／ライタ装置３を内蔵すれば上記目的は達成されるが、リーダ／ライタ装置３は高価なので電子機器２がコストアップとなってしまう。本実施の形態においては、第１の入出力端子Ｉ／Ｏ１及び第２の入出力端子Ｉ／Ｏ２を介して電子機器２と通信可能に構成するとともに、磁界結合を介してリーダ／ライタ装置３と通信可能に構成した。
【００３７】
したがって、データキャリア１を電子機器２に取り付けて、上記データキャリア１と電子機器２との間でデータの送受信を行うデータキャリアシステムを、上記電子機器２側にはリーダ／ライタ装置３を設けることなく実現することができる。したがって、リーダ／ライタ装置３及び電子機器２の両方と通信を行うことが可能なデータキャリアシステムを安価に構成することができる。
【００３８】
次に、図６〜図８を参照しながらデータキャリア１及び電子機器２の構成例を説明する。
（第１の構成例）
図６に示した第１の構成例は、機器の内部コントローラ６１に電源供給端子ＰＯＷ、電源制御端子ＣＯＮ、第１の入出力端子Ｉ／Ｏ１、第２の入出力端子Ｉ／Ｏ２及び接地端子ＧＮＤを設けている。
【００３９】
一方、タグの内部回路（データキャリア１の内部回路）６２には、第１の入出力端子Ｉ／Ｏ１、第２の入出力端子Ｉ／Ｏ２及び接地端子ＧＮＤを設けている。また、電子機器２側にはスイッチング回路６３及びオシレータ６４が設けられていて、上記スイッチング回路６３を介してオシレータ６４の交流出力をタグの内部回路６２の入力側に選択的に印加できるように構成している。
【００４０】
このような構成により、上記スイッチング回路６３が上記電源制御端子ＣＯＮからの制御信号により閉動作すると、交流電力が供給されることによりタグの内部回路６２が起動して所定の動作を開始する。起動後の動作は上述した図３〜図５の何れかにより行われる。
【００４１】
（第２の構成例）
図７に示した第２の構成例は、機器の内部コントローラ７１に電源制御端子ＣＯＮ、第１の入出力端子Ｉ／Ｏ１、第２の入出力端子Ｉ／Ｏ２及び接地端子ＧＮＤを設けている。また、タグの内部回路７２には第１の入出力端子Ｉ／Ｏ１、第２の入出力端子Ｉ／Ｏ２及び接地端子ＧＮＤを設けている。
【００４２】
また、ダイオードＤを介して、機器の内部コントローラ７１の電源制御端子ＣＯＮはタグの内部回路７２の電源に接続されていて、機器の内部コントローラ７１から動作電力を供給している。
【００４３】
このような構成により、上記電源制御端子ＣＯＮから動作電力が供給されると、上記タグの内部回路７２が起動して所定の動作を開始する。この例の場合も、起動後の動作は上述した図３〜図５の何れかにより行われる。ダイオードＤは電子機器２の内部からではなく、リーダ／ライタ装置３側からデータキャリア１を駆動するときに、データキャリア１の動作と電子機器２側とを切り離すためのものである。
【００４４】
（第３の構成例）
次に、図８に示した構成例の場合は、電子機器２側から交流電力を供給しなくてもデータキャリア１を起動できるようにした構成例を示している。
この例の場合、機器のコントローラ８１には電源供給端子ＰＯＷ、電圧監視端子ＭＯＮＩ、第１の入出力端子Ｉ／Ｏ１、第２の入出力端子Ｉ／Ｏ２及び接地端子ＧＮＤ等を設けている。
【００４５】
一方、タグの内部回路（データキャリア１の内部回路）８２には、第１の入出力端子Ｉ／Ｏ１及び第２の入出力端子Ｉ／Ｏ２を設けている。また、本実施の形態においてはデータキャリア１側に、コイルＬ及びコンデンサＣよりなるアンテナ回路が接続される２つの電源端子Ｔ１及びＴ２間に整流回路８５が設けられている。上記整流回路８５は、第１のトランジスタＴｒ１及び第２のトランジスタＴｒ２よりなる正帰還のクロスカップルの回路で構成されている。
【００４６】
そして、上記整流回路８５の整流出力が整流用ダイオードＤ３及びＤ４を介して、上記２つの電源端子Ｔ１及びＴ２間に接続された平滑用のリプルフィルタコンデンサＣ２に供給されるように構成されている。
【００４７】
このような構成により、電源入力端子８３を介して機器のコントローラ８１の電源供給端子ＰＯＷから所定の電圧が供給されると、上記整流回路８５と外部の同調回路とで発振させることができる。これにより、電子機器２側からは直流電圧を印加するだけでデータキャリア１を起動することが可能となる。したがって、電子機器２側にデータキャリア１を起動するための交流電源を用意しなくても済む利点が得られる。
【００４８】
なお、第１のダイオードＤ１及び第２のダイオードＤ２は、電子機器２の内部からではなく、リーダ／ライタ装置３側からデータキャリア１を駆動するときに、データキャリア１の動作を電子機器２側と切り離すためのものである。
【００４９】
次に、図９〜図１１にデータキャリア１の使用例を示す。
図９は、第１の使用例を示した図であり、ジュースの自動販売機９０にデータキャリア９１を配設した例を示している。このように、データキャリア９１を配設することにより、ジュースの自動販売機９０の稼動履歴、売上記録、使用実績、保存温度及び時刻等の管理データ、在庫数等の情報をデータキャリア９１に記録することができる。
【００５０】
上記データキャリア９１に記録した情報は、不揮発メモリに記録されることにより、ジュースの自動販売機９０に電源が供給されなくなった場合においても外部のリーダ／ライタ装置３から非接触で読み出すことができる。このため、ジュースの自動販売機９０が故障したり、電源が供給されなくなったりした場合でも売上や使用量等の必要な情報を確実に入手することができる。
【００５１】
また、ジュースの自動販売機９０が所定の設置場所から搬出されて、移動中や保管状態であるために電源が供給されない場合でも、稼動履歴等の必要な情報を何時でも取り出すことができる。
【００５２】
図１０（ａ）及び（ｂ）は第２の使用例を示し、冷蔵庫１００にデータキャリア１０１を配設した例を示している。このように、データキャリア１０１を配設して冷蔵庫１００の稼動状態を記録するようにすると、ドアの開閉状態や保管温度の履歴等を正確に知ることができるので、内部に収容した物品の品質管理を厳格にすることができる利点が得られる。
【００５３】
図１１は、第３の使用例を示し、産業用の生産装置１１０にデータキャリア１１１を配設した例を示している。
上記産業用の生産装置１１０としては任意の装置に適用することが可能であり、生産物に係わる種々の情報をデータキャリア１１１に正確に記録しておくことができるので、故障が発生した場合においても、それまでの生産個数や生産品目等を確実に知ることができる利点が得られる。
【００５４】
【発明の効果】
以上説明したように、本発明によれば、磁界結合を介して接続されるリーダ／ライタ装置と通信可能に構成されているとともに、電源端子及びＩ／Ｏ端子を介して接続される電子機器本体と通信可能に構成されているデータキャリアに、上記リーダ／ライタ装置または上記電子機器本体から動作電力が供給されると、上記動作電力の供給元が何れであるかを判断して、上記動作電力を供給した相手側と通信を行うようにする機能を持たせたので、上記電子機器本体側には高価なリーダ／ライタ装置を配設することなく、上記電子機器本体と上記データキャリアとの間で通信を行うようにすることができる。これにより、電子機器の内部回路及び外部のリーダ／ライタ装置の両方からデータキャリアに対して通信可能なデータキャリアシステムを、上記電子機器側にリーダ／ライタ装置を配設することなく構築することができて、この種のデータキャリアシステムを安価に構築することができる利点が得られる。このため、装置の管理データ等を装置の稼動中にデータキャリアに残しておくようにすれば、外部からリーダ／ライタ装置により非接触で読み出すことができる。また、逆に装置への制御データ等をリーダ／ライタ装置から非接触でデータキャリア書き込んでおくことができるので、装置はデータキャリアから制御データを受け取ることができる。
【図面の簡単な説明】
【図１】本発明によるデータキャリアシステムの概略構成例を示す図である。
【図２】データキャリアと電子機器の内部コントローラとの構成例を示す機能構成図である。
【図３】第１の動作例を説明するためのフローチャートである。
【図４】第２の動作例を説明するためのフローチャートである。
【図５】第３の動作例を説明するためのフローチャートである。
【図６】データキャリア及び電子機器の第１の構成例を説明する図である。
【図７】データキャリア及び電子機器の第２の構成例を説明する図である。
【図８】データキャリア及び電子機器の第３の構成例を説明する図である。
【図９】データキャリアの第１の使用例を示した図である。
【図１０】データキャリアの第２の使用例を示した図である。
【図１１】データキャリアの第３の使用例を示した図である。
【符号の説明】
１  データキャリア
２  電子機器
３  リーダ／ライタ装置
１１  整流回路
１２  電源回路
１３  受信回路
１４  演算処理回路
１５  タイミング回路
１６  リセット回路
１７  送信回路
【図１】
2005031948.tif 000003
【図２】
2005031948.tif 000004
【図３】
2005031948.tif 000005
【図４】
2005031948.tif 000006
【図５】
2005031948.tif 000007
【図６】
2005031948.tif 000008
【図７】
2005031948.tif 000009
【図８】
2005031948.tif 000010
【図９】
2005031948.tif 000011
【図１０】
2005031948.tif 000012
【図１１】
2005031948.tif 000013